【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
時分割二重（ＴＤＤ）無線プロトコルシステムに使用される周波数変換中継器であって、
周波数変換中継器に関連する２つの周波数チャネルのうちの１つに信号が存在するか否かを検出するように構成された検出器回路；
前記信号に関連する周波数チャネルを前記２つの周波数チャネルのうちの一方から前記２つの周波数チャネルのうちの他方に変更するように構成された周波数変換器；及び
信号検出間隔及び送信機構成間隔を補償すべく、信号に遅延を付加するように構成された遅延回路；
を備えた周波数変換中継器。
【請求項２】
前記遅延回路はアナログ記憶装置を有する、請求項１に記載の周波数変換中継器。
【請求項３】
前記遅延回路は、アナログ信号記憶及びチャネル選択のうちの１又は複数に対して構成された少なくとも１つの表面弾性波フィルタを有する、請求項１に記載の周波数変換中継器。
【請求項４】
前記検出器回路はプロセッサを有する、請求項１に記載の周波数変換中継器。    
【請求項５】
前記検出器回路はアナログ検出器をさらに有する、請求項４に記載の周波数変換中継器。
【請求項６】
利得制御回路をさらに有し、該利得制御回路はそれに関連する利得値及び減衰値のうちの１つを備えている、請求項１に記載の周波数変換中継器。
【請求項７】
前記検出器は、信号の受信信号強度をさらに検出するためのものであり、前記利得制御回路は、信号の利得値を調整するために該信号の受信信号強度をさらに使用するためのものである、請求項６に記載の周波数変換中継器。
【請求項８】
前記利得制御回路は、特定の信号送信出力電力を達成するために、所定の基準に基づいて前記利得値及び前記減衰値のうちの少なくとも１つをさらに制御するためのものである
、請求項７に記載の周波数変換中継器。
【請求項９】
前記所定の基準は、特定の信号送信出力電力を修正するためのものであり、受信周波数と送信周波数の間の周波数分離、取締規則、温度、受信電力レベル、送信電力レベル、及び検出された干渉レベルのうちの少なくとも１つを含んでいる、請求項８に記載の周波数変換中継器。
【請求項１０】
プロセッサはさらにメモリを有し、前記所定の基準が該メモリに格納される、請求項８に記載の周波数変換中継器。
【請求項１１】
時分割二重（ＴＤＤ）無線プロトコルシステムに使用される周波数変換中継器であって、
周波数変換中継器に関連する２つの周波数チャネルのうちの１つに信号が存在するか否かを検出し、かつ信号の受信検出信号電力を検出するように構成された検出器回路；
前記信号に関連する周波数チャネルを２つの周波数チャネルのうちの一方から２つの周波数チャネルのうちの他方に変更するように構成された周波数変換器；
信号検出間隔及び送信機構成間隔を補償すべく、信号に遅延を付加するように構成された遅延回路；及び  前記検出器回路によって検出された受信検出信号電力に少なくとも一部基づいて、信号の利得値を調整するように構成された利得制御回路；
を備えた周波数変換中継器。
【請求項１２】
前記利得制御回路は、２つの周波数チャネルのうちのどちらの一方で信号が受信され、２つの周波数チャネルのうちのどちらの他方に変更されるかを含む基準に少なくとも一部基づいて、利得値を調整するように構成されている、請求項１１に記載の周波数変換中継器。
【請求項１３】
前記基準が、送信のための取締規則、動作温度、及び受信周波数と送信周波数の間の周波数分離のうちの少なくとも１つをさらに含んでいる、請求項１２に記載の周波数変換中継器。
【請求項１４】
前記基準が、受信周波数と送信周波数の間の距離をさらに含み、前記自動利得制御回路は、該距離に基づいて信号に対してよりフィルタ処理を適用するようにさらに構成されている、請求項１１に記載の周波数変換中継器。
【請求項１５】
時分割二重（ＴＤＤ）無線プロトコルシステムに使用される周波数変換中継器であって、
周波数変換中継器に関連する２つの周波数チャネルのうちの１つに信号が存在するか否かを検出するように構成された検出器回路；
前記信号を無線周波数（ＲＥ）信号から中間周波数（ＩＦ）信号に変換するように構成された周波数変換機；
前記ＩＦ信号に関連する周波数チャネルを２つの周波数チャネルのうちの一方から２つの周波数チャネルのうちの他方に変更するように構成された周波数変換器；
信号検出間隔及び送信機構成間隔を補償すべく、前記ＩＦ信号に遅延を付加するように構成された遅延回路；及び
前記ＩＦ信号の利得値を調整するように構成された利得制御回路；
を備えた周波数変換中継器。
【請求項１６】
前記利得制御回路が、検出器回路によって検出された受信検出信号電力に少なくとも一部基づいて、ＩＦ信号の利得値を調整するようにさらに構成されている、請求項１５に記載の周波数変換中継器。
【請求項１７】
前記検出器回路及び前記利得制御回路は、第１の信号経路と第２の信号経路にそれぞれ位置する、請求項１５に記載の周波数変換中継器。
【請求項１８】
前記検出器回路は対数増幅器を有し、該対数増幅器の出力は該出力を制御するために利得制御回路に結合されている、請求項１７に記載の周波数変換中継器。
【請求項１９】
前記検出器回路及び前記自動利得制御回路は各々異なる帯域幅を有している、請求項１８に記載の周波数変換中継器。
【請求項２０】
前記自動利得制御回路はプロセッサと、所定の基準を格納するメモリとを有し、プロセッサはＩＦ信号のオフセット利得値を確立するために前記所定の基準を使用するように構成されており、検出器回路によって検出される信号の検出受信電力とは無関係に、送信機の目標出力電力が少なくとも一部生じる、請求項１９に記載の周波数変換中継器。
【請求項２１】
前記プロセッサは、
対数増幅器の出力をデジタル信号に変換し；かつ  該デジタル信号を使用してＩＦ信号の利得値を確立する；ようにさらに構成されている、請求項２０に記載の周波数変換中継器。
【請求項２２】
時分割二重（ＴＤＤ）無線プロトコルシステムに使用される周波数変換中継器における周波数変換の方法であって、
周波数変換中継器に関連する２つの周波数チャネルのうちの１つに信号が存在するか否かを検出すること；
前記信号に関連する周波数チャネルを２つの周波数チャネルのうちの一方から２つの周波数チャネルのうちの他方に変更すること；及び
信号検出間隔及び送信機構成間隔に等しく、信号に遅延を付加すること；
から成る方法。
【請求項２３】
前記遅延を付加することは、アナログ記憶装置の信号を遅延させることを含む、請求項２２に記載の方法。
【請求項２４】
前記遅延を付加することは、アナログ信号記憶及びチャネル選択のうちの１又は複数に対して構成された少なくとも１つの表面弾性波フィルタの信号を遅延させることを含む、請求項２２に記載の方法。
【請求項２５】
前記検出することは、アナログ検出器において検出することを含む、請求項２４に記載の方法。
【請求項２６】
前記信号に関連する利得を設定することをさらに含む、請求項２２に記載の方法。
【請求項２７】
前記利得を設定することは、前記所定の基準に少なくとも一部基づいて利得を設定することをさらに含む、請求項２６に記載の方法。
【請求項２８】
前記所定の基準は、受信周波数と送信周波数の間の距離、取締規則、温度、受信電力レベル、送信電力レベル、及び検出された干渉レベルのうちの少なくとも１つを含んでいる、請求項２７に記載の方法。
【請求項２９】
前記所定の基準をメモリに格納することをさらに含む、請求項２８に記載の方法。
【請求項３０】
時分割二重（ＴＤＤ）無線プロトコルシステムに使用される周波数変換中継器における周波数変換の方法であって、
周波数変換中継器に関連する２つの周波数チャネルのうちの１つに信号が存在するか否かを検出すること；
前記信号に関連する周波数チャネルを２つの周波数チャネルのうちの一方から２つの周波数チャネルのうちの他方に変更すること；
信号検出間隔及び送信機形状間隔を補償すべく、信号に遅延を付加すること；及び
前記信号の検出受信電力レベルに少なくとも一部基づいて、信号の利得値を調整すること；
から成る方法。
【請求項３１】
前記利得値を調整することは、２つの周波数チャネルのうちのどちらの一方で信号が受信され、２つの周波数チャネルのうちのどちらの他方に変更されるかを含む基準に基づいている、請求項３０に記載の方法。
【請求項３２】
前記基準は、送信のための取締規則をさらに含む、請求項３０に記載の方法。
【請求項３３】
前記基準は、受信周波数と送信周波数の間の周波数分離をさらに含む、請求項３１に記載の方法。
【請求項３４】
時分割二重（ＴＤＤ）無線プロトコルシステムに使用される周波数変換中継器における周波数変換の方法であって、
周波数変換中継器に関連する２つの周波数チャネルのうちの１つに信号が存在するか否かを検出し、存在する場合に、信号の受信電力レベルを検出すること；
前記信号を無線周波数（ＲＦ）信号から中間周波数（ＩＦ）信号に変換すること；
前記ＩＦ信号に関連する周波数チャネルを２つの周波数チャネルのうちの一方から２つの周波数チャネルのうちの他方に変更すること；
信号検出間隔及び送信機構成間隔を補償すべく、前記ＩＦ信号に遅延を付加すること；及び
前記信号の検出受信電力レベルに少なくとも一部基づいて、前記ＩＦ信号の利得値を調整すること；
から成る方法。
【請求項３５】
前記検出と前記調整が、第１の信号経路と第２の信号経路でそれぞれ行なわれる、請求項３４に記載の方法。
【請求項３６】
前記検出が、前記信号から対数信号を生成し、該対数信号を前記調整のために使用することを含む、請求項３５に記載の方法。
【請求項３７】
前記調整が、所定の基準を使用して、前記ＩＦ信号の利得値を調整することをさらに含む、請求項３６に記載の方法。
【請求項３８】
前記生成は、対数信号をデジタル信号に変換することをさらに含み、前記調整は、該デジタル信号を使用してＩＦ信号の利得値をさらに調整することを含む、請求項３６に記載の方法。
【請求項３９】
時分割二重通信システムに使用される周波数変換中継器であって、
少なくとも第１の周波数チャネルと第２の周波数チャネルで送信を受け取ることが可能な少なくとも２つの受信機；
前記第１の周波数チャネルで送信することが可能な少なくとも１つの送信機；
第２の周波数チャネルで送信することが可能な少なくとも１つの送信機；
周波数変換中継器に関連する２つの周波数チャネルのうちの１つに信号が存在するか否かを検出し、かつ信号の受信電力レベルを検出するように構成された検出器回路；
前記信号に関連する周波数チャネルを前記第１及び第２の周波数チャネルのうちの最初のチャネルから前記第１及び第２の周波数チャネルのうちの次のチャネルに変更するように構成された周波数変換器；及び
マイクロプロセッサに格納された所定のパラメータに基づいて第１及び第２の周波数チャネルを構成することが可能なマイクロプロセッサ；
を備え、
第１及び第２の周波数チャネルの少なくとも１つに対する特定周波数の構成は、前記所定のパラメータに基づいており、
前記所定のパラメータは、取締送信機パワー制限、取締帯域外放射制限、及び第１周波数チャネルと第２周波数チャネル間の周波数分離、の少なくとも１つを含んでいる、周波数変換中継器。